【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
画像データの管理に用いられる所定サイズの第１管理レコードを複数記憶可能な第１管理レコード用メモリ領域と、前記第１管理レコードとはサイズが異なるサイズの第２管理レコードを複数記憶可能な第２管理レコード用メモリ領域と、を含む記憶手段と、
前記第１管理レコード用メモリ領域に前記第１管理レコードを記憶するための記憶域を獲得するとともに、前記第２管理レコード用メモリ領域に前記第２管理レコードを記憶するための記憶域を獲得する獲得手段と、
前記第１管理レコード及び前記第２管理レコードによって画像データを管理する管理手段と
を備えた画像処理装置であって、
前記獲得手段は、前記第１管理レコード用メモリ領域に前記第１管理レコードを記憶するための記憶域を獲得できない場合に、前記第２管理レコードのサイズの整数倍のサイズで前記第２管理レコード用メモリ領域に前記第１管理レコードを記憶するための記憶域を獲得し、前記管理手段は前記第２管理レコードのサイズの整数倍のサイズで獲得された記憶域に前記所定サイズの前記第１管理レコードを記憶することを特徴とする画像処理装置。
【請求項２】
前記記憶手段は、前記第１管理レコードおよび前記第２管理レコードとはサイズの異なる第３管理レコードを記憶する第３管理レコード用メモリ領域を含み、
前記獲得手段は、前記第３管理レコード用メモリ領域に前記第３管理レコードを記憶するための記憶域を獲得し、
前記管理手段は、前記第１管理レコード及び前記第２管理レコード及び前記第３管理レコードによって画像データを管理することを特徴とする請求項１記載の画像処理装置。
【請求項３】
前記獲得手段は、前記第１管理レコード用メモリ領域に前記第１管理レコードを記憶するための記憶域を獲得できない場合に、前記第１管理レコード用メモリ領域以外で、使用率が最も小さな管理レコード用メモリ領域を選択し、選択された管理レコード用メモリ領域に対応した管理レコードのサイズの整数倍のサイズで前記第１管理レコードを記憶するための記憶域を獲得し、
前記管理手段は、前記選択された管理レコード用メモリ領域に対応した管理レコードのサイズの整数倍のサイズで獲得された記憶域に前記所定サイズの前記第１管理レコードを記憶することを特徴とする請求項１または２に記載の画像処理装置。
【請求項４】
前記獲得手段は、前記第１管理レコード用メモリ領域に前記第１管理レコードを記憶するための記憶域を獲得できない場合に、前記第１管理レコード用メモリ領域以外で、総メモリサイズが最も大きな管理レコード用メモリ領域を選択し、選択された管理レコード用メモリ領域に対応した管理レコードのサイズの整数倍のサイズで前記第１管理レコードを記憶するための記憶域を獲得し、
前記管理手段は、前記選択された管理レコード用メモリ領域に対応した管理レコードのサイズの整数倍のサイズで獲得された記憶域に前記所定サイズの前記第１管理レコードを記憶することを特徴とする請求項１または２に記載の画像処理装置。
【請求項５】
前記獲得手段は、前記第１管理レコード用メモリ領域に前記第１管理レコードを記憶するための記憶域を獲得できない場合に、前記第１管理レコード用メモリ領域以外で、残量が最も大きな管理レコード用メモリ領域を選択し、選択された管理レコード用メモリ領域に対応した管理レコードのサイズの整数倍のサイズで前記第１管理レコードを記憶するための記憶域を獲得し、
前記管理手段は、前記選択された管理レコード用メモリ領域に対応した管理レコードのサイズの整数倍のサイズで獲得された記憶域に前記所定サイズの前記第１管理レコードを記憶することを特徴とする請求項１または２に記載の画像処理装置。
【請求項６】
画像データの管理に用いられる所定サイズの第１管理レコードを複数記憶可能な第１管理レコード用メモリ領域と、前記第１管理レコードとはサイズが異なるサイズの第２管理レコードを複数記憶可能な第２管理レコード用メモリ領域と、を含む記憶手段を備えた画像処理装置において、前記第１管理レコード及び前記第２管理レコードによって画像データを管理する管理工程を有する画像データ管理方法であって、
前記第１管理レコード用メモリ領域に前記第１管理レコードを記憶するための記憶域を獲得するとともに、前記第２管理レコード用メモリ領域に前記第２管理レコードを記憶するための記憶域を獲得する獲得工程を有し、
前記獲得工程は、前記第１管理レコード用メモリ領域に第１管理レコードを記憶するための記憶域を獲得できない場合に、前記第２管理レコードのサイズの整数倍のサイズで前記第２管理レコード用メモリ領域に前記第１管理レコードを記憶するための記憶域を獲得し、前記管理工程は前記第２管理レコードのサイズの整数倍のサイズで獲得された記憶域に前記所定サイズの前記第１管理レコードを記憶することを特徴とする画像データ管理方法。
【請求項７】
前記記憶手段は、前記第１管理レコードおよび前記第２管理レコードとはサイズの異なる第３管理レコードを記憶する第３管理レコード用メモリ領域を含み、
前記獲得工程は、前記第３管理レコード用メモリ領域に前記第３管理レコードを記憶するための記憶域を獲得し、
前記管理工程は、前記第１管理レコード及び前記第２管理レコード及び前記第３管理レコードによって画像データを管理することを特徴とする請求項６記載の画像データ管理方法。
【請求項８】
前記獲得工程は、前記第１管理レコード用メモリ領域に前記第１管理レコードを記憶するための記憶域を獲得できない場合に、前記第１管理レコード用メモリ領域以外で、使用率が最も小さな管理レコード用メモリ領域を選択し、選択された管理レコード用メモリ領域に対応した管理レコードのサイズの整数倍のサイズで前記第１管理レコードを記憶するための記憶域を獲得し、
前記管理工程は、前記選択された管理レコード用メモリ領域に対応した管理レコードのサイズの整数倍のサイズで獲得された記憶域に前記所定サイズの前記第１管理レコードを記憶することを特徴とする請求項６または７に記載の画像データ管理方法。
【請求項９】
前記獲得工程は、前記第１管理レコード用メモリ領域に前記第１管理レコードを記憶するための記憶域を獲得できない場合に、前記第１管理レコード用メモリ領域以外で、総メモリサイズが最も大きな管理レコード用メモリ領域を選択し、選択された管理レコード用メモリ領域に対応した管理レコードのサイズの整数倍のサイズで前記第１管理レコードを記憶するための記憶域を獲得し、
前記管理工程は、前記選択された管理レコード用メモリ領域に対応した管理レコードのサイズの整数倍のサイズで獲得された記憶域に前記所定サイズの前記第１管理レコードを記憶することを特徴とする請求項６または７に記載の画像データ管理方法。
【請求項１０】
前記獲得工程は、前記第１管理レコード用メモリ領域に前記第１管理レコードを記憶するための記憶域を獲得できない場合に、前記第１管理レコード用メモリ領域以外で、残量が最も大きな管理レコード用メモリ領域を選択し、選択された管理レコード用メモリ領域に対応した管理レコードのサイズの整数倍のサイズで前記第１管理レコードを記憶するための記憶域を獲得し、
前記管理工程は、前記選択された管理レコード用メモリ領域に対応した管理レコードのサイズの整数倍のサイズで獲得された記憶域に前記所定サイズの前記第１管理レコードを記憶することを特徴とする請求項６または７に記載の画像データ管理方法。
【請求項１１】
画像データの管理に用いられる所定サイズの第１管理レコードを複数記憶可能な第１管理レコード用メモリ領域と、前記第１管理レコードとはサイズが異なるサイズの第２管理レコードを複数記憶可能な第２管理レコード用メモリ領域とを含む記憶手段と、
前記第１管理レコード及び前記第２管理レコードによって画像データを管理する管理手段と、
前記第１管理レコード用メモリ領域に前記第１管理レコードを記憶するための記憶域を獲得するとともに、前記第２管理レコード用メモリ領域に前記第２管理レコードを記憶するための記憶域を獲得する獲得手段と
してコンピュータを機能させるための画像データ管理プログラムであって、
前記獲得手段は、前記第１管理レコード用メモリ領域に前記第１管理レコードを記憶するための記憶域を獲得できない場合に、前記第２管理レコードのサイズの整数倍のサイズで前記第２管理レコード用メモリ領域に前記第１管理レコードを記憶するための記憶域を獲得し、
前記管理手段は、前記第２管理レコードのサイズの整数倍のサイズで獲得された記憶域に前記所定サイズの前記第１管理レコードを記憶することを特徴とする画像データ管理プログラム。
【手続補正２】
【補正対象書類名】明細書
【補正対象項目名】発明の名称
【補正方法】変更
【補正の内容】
【発明の名称】画像処理装置、画像データ管理方法、及び画像データ管理プログラム
【手続補正３】
【補正対象書類名】明細書
【補正対象項目名】０００５
【補正方法】変更
【補正の内容】
【０００５】
上記目的を達成するため、本発明に係る装置は、
画像データの管理に用いられる所定サイズの第１管理レコードを複数記憶可能な第１管理レコード用メモリ領域と、前記第１管理レコードとはサイズが異なるサイズの第２管理レコードを複数記憶可能な第２管理レコード用メモリ領域と、を含む記憶手段と、
前記第１管理レコード用メモリ領域に前記第１管理レコードを記憶するための記憶域を獲得するとともに、前記第２管理レコード用メモリ領域に前記第２管理レコードを記憶するための記憶域を獲得する獲得手段と、
前記第１管理レコード及び前記第２管理レコードによって画像データを管理する管理手段と
を備えた画像処理装置であって、
前記獲得手段は、前記第１管理レコード用メモリ領域に前記第１管理レコードを記憶するための記憶域を獲得できない場合に、前記第２管理レコードのサイズの整数倍のサイズで前記第２管理レコード用メモリ領域に前記第１管理レコードを記憶するための記憶域を獲得し、前記管理手段は前記第２管理レコードのサイズの整数倍のサイズで獲得された記憶域に前記所定サイズの前記第１管理レコードを記憶することを特徴とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】